(57)【要約】【課題】アルミニウム合金製の支持脚が電気的に腐食して破損するのを抑制すること。【解決手段】アルミニウム合金製で形成され、洗濯槽４の背面部４ｃに固着された支持脚７は、脚部７ｅ、７ｆ、７ｇが反長手方向に断面略Ｍ字状であり、脚部７ｅ、７ｆ、７ｇは、ステンレス鋼材で有底円筒状に形成された洗濯槽４の背面部４ｃに対して中央部が凹部状になった中央凹部１８の左右側に凸部１６、１７が形成され、左右端にリブ状の側桁１０，１１が形成されており、凸部１６，１７は背面部４ｃに近接し、中央凹部１８は背面部４ｃとの間に所定の距離をおいて離れて位置する構成とすることにより、洗濯槽４と支持脚７と間に残渣が溜まることがなく、支持脚７の腐食による破損を抑制することができる。【選択図】図１
2018126350.tif 000002
【特許請求の範囲】
【請求項１】
筐体と、前記筐体内に揺動自在に防振支持された水槽と、有底円筒状に形成され、前記水槽内に回転自在に配設された洗濯槽と、前記洗濯槽を回転駆動するモータと、前記洗濯槽の背面部に固着され、中心部から回転対称に脚部が延設された支持脚とを備え、前記支持脚は、前記脚部が反長手方向に断面略Ｍ字状に形成した洗濯機。
【請求項２】
前記洗濯槽は、ステンレス鋼材で形成され、前記支持脚はアルミニウム合金で形成された請求項１に記載の洗濯機。
【請求項３】
前記脚部は、前記背面部に対して中央部が凹部状になった中央凹部の左右側に凸部が形成され、左右端にリブ状の側桁が形成されており、前記凸部は前記背面部に近接し、前記中央凹部は前記背面部との間に所定の距離をおいて離れて位置している請求項１または請求項２に記載の洗濯機。
【発明の詳細な説明】
【技術分野】
【０００１】
本発明は、洗濯物を洗濯する洗濯機に関するものである。
【背景技術】
【０００２】
従来、この種の洗濯機は、横向きに支持され洗濯物を収容する洗濯槽の背面側にアルミニウム合金製などの別部品を設けて、洗濯槽の強度向上を図る構成が提案されている（例えば、特許文献１参照）。
【０００３】
図６は、特許文献１に記載された従来の洗濯機の縦断面図、図７は、同洗濯機の洗濯槽の背面側から見た斜視図である。
【０００４】
図６、図７において、洗濯槽３１は、有底円筒形に形成され、外周部に多数の通水孔３２が全周に設けられて、水槽３３内に回転自在に配設されている。
【０００５】
洗濯槽３１の回転中心に傾斜方向に回転軸（回転中心軸）３４が設けられ、洗濯槽３１の軸心方向は、正面側から背面側に向けて下向きに傾斜させている。この回転軸３４に、ベルト４７を介して、水槽３３の背面側近傍に取り付けたモータ３５を連結し、洗濯槽３１を正転、逆転方向に回転駆動する。洗濯槽３１の内壁面には、衣類撹拌用の複数個の側面バッフル３６を設けている。また、洗濯槽３１の内底面部４０には、内側に向かって複数の凸部バッフル４６を形成している。
【０００６】
水槽３３の内底面の外周側には、リング状突起５２が形成され、洗濯槽３１の外底面との隙間を、製造上許容できる寸法まで小さくしている。これにより、脱水回転時の風の流速を上昇することができ、風の流速の上昇により圧力（音圧）が低下するので、風切り音が低減される。
【０００７】
また、洗濯槽３１の外底背面側には、洗濯槽３１の強度をアップするための支持脚５１が固着されている。
【０００８】
上記の、洗濯槽３１、支持脚５１、水槽３３、モータ３５等により、振動系の水槽ユニット６０が構成されている。
【０００９】
水槽３３の正面側で筺体３９の上向き傾斜面に設けた開口部を、蓋体３７により開閉自在に覆っている。蓋体３７を開くことにより、衣類出入口３８を通して洗濯槽３１内に洗濯物を出し入れできるようにしている。
【００１０】
また、水槽ユニット６０は、筺体３９下方の防振部材４１および上方のばね体４８により揺動自在に防振支持され、水槽３３の下部には排水経路４２の一端を接続し、排水経路４２の他端を排水弁４３に接続して、水槽３３内の洗濯水を排水するようにしている。
【００１１】
筺体３９上部内方に設けられた給水弁４４は、給水経路４５、洗剤ケース５３を介して水槽３３内に洗濯水を給水するものである。
【００１２】
また、筺体３９の上部内方には、モータ３５などの動作を制御し、洗い、すすぎ、脱水等の各行程を制御する制御手段５６が配設されている。
【００１３】
モータ３５は、直流ブラシレスモータ等で構成され、制御手段５６および駆動回路（図
示せず）等により正逆回転、および回転数可変に制御される。
【００１４】
また、筺体３９の前面上部には、使用者が運転コースを選択したりする入力設定手段４９や、選択結果、行程の進行度合い、動作エラー等を表示して使用者に知らせる表示手段５０が設けられている。
【００１５】
ここで、洗濯槽３１の材料は、錆防止の為にステンレス鋼が用いられ、支持脚５１は、強度上および生産性からアルミニウム合金製のダイカストが用いられている。
【先行技術文献】
【特許文献】
【００１６】
【特許文献１】特開２０１２−１７０６８０号公報
【発明の概要】
【発明が解決しようとする課題】
【００１７】
しかしながら、上記従来の構成では、洗剤の溶け残りが衣類からほぐれた繊維と混合した残渣となって洗濯槽と支持脚との隙間に溜まり、残渣が水分を含んだ時に、ステンレス製の洗濯槽とアルミニウム合金製の支持脚の間で電気回路が成立する。この時、支持脚を形成するアルミニウム合金は、脱水槽を形成するステンレス鋼よりも電位が低いため、イオン化が促進され、残渣の成分と反応して支持脚が腐食し、破損する虞があった。
【００１８】
本発明は、前記従来の課題を解決するもので、一般的な材料を使用しながら電気的作用による腐食、破損を抑制する洗濯機を提供することを目的とする。
【課題を解決するための手段】
【００１９】
前記従来の課題を解決するために、本発明の洗濯機は、筐体と、前記筺体内に揺動自在に防振支持された水槽と、有底円筒状に形成され、前記水槽内に回転自在に配設された洗濯槽と、前記洗濯槽を回転駆動するモータと、前記洗濯槽の背面部に固着され、中心部から回転対称に脚部が延設された支持脚とを備え、前記支持脚は、脚部が反長手方向に断面略Ｍ字状に形成したものである。
【００２０】
これによって、洗濯槽と支持脚と間に残渣が溜まることがなく、支持脚の腐食による破損を抑制することができる。
【発明の効果】
【００２１】
本発明の洗濯機は、洗濯槽と支持脚と間に残渣が溜まることがなく、支持脚の腐食による破損を抑制することができる。
【図面の簡単な説明】
【００２２】
【図１】本発明の実施の形態におけるドラム式洗濯機の縦断面図
【図２】同洗濯機の洗濯槽を背面側から見た平面図
【図３】同洗濯機の洗濯槽の図２に示すＡ−Ａ断面図
【図４】同洗濯機の洗濯槽の図２に示すＢ−Ｂ断面図
【図５】同洗濯機の支持脚の斜視図
【図６】従来の洗濯機の縦断面図
【図７】同洗濯機の洗濯槽の背面側から見た斜視図
【発明を実施するための形態】
【００２３】
第１の発明は、筐体と、前記筺体内に揺動自在に防振支持された水槽と、有底円筒状に形成され、前記水槽内に回転自在に配設された洗濯槽と、前記洗濯槽を回転駆動するモー
タと、前記洗濯槽の背面部に固着され、中心部から回転対称に脚部が延設された支持脚とを備え、前記支持脚は、脚部が反長手方向に断面略Ｍ字状に形成することにより、洗濯槽と支持脚と間に残渣が溜まるのを防止することができる。
【００２４】
第２の発明は、第１の発明の前記洗濯槽は、ステンレス鋼材で形成され、前記支持脚はアルミニウム合金で形成されることにより洗濯槽と支持脚と間に残渣が溜まることがなく、支持脚の腐食による破損を抑制することができる。
【００２５】
第３の発明は、第１または第２の発明の前記脚部は、前記背面部に対して中央部が凹部状になった中央凹部の左右側に凸部が形成され、左右端にリブ状の側桁が形成されており、前記凸部は前記背面部に近接し、前記中央凹部は前記背面部との間に所定の距離をおいて離れて位置していることにより洗濯槽と支持脚と間に残渣が溜まることがなく、支持脚の腐食による破損を抑制することができる。
【００２６】
以下、本発明の実施の形態について、図面を参照しながら説明する。なお、従来例と同じ構成のものは、同一符号を付して説明を省略する。また、この実施の形態によって本発明が限定されるものではない。
（実施の形態１）
図１は、本発明の実施の形態におけるドラム式洗濯機の縦断面図である。
【００２７】
図１において、軸心方向を正面側から背面側に向けて下向きに傾斜させた洗濯槽４の回転中心に回転軸（回転中心軸）８が設けられる。この回転軸８に、ベルト４７を介して、水槽３３の背面側近傍に取り付けたモータ３５を連結し、洗濯槽４を正転、逆転方向に回転駆動する。
【００２８】
また、洗濯槽４の外底背面側である背面部４ｃ（図２参照）には、洗濯槽４の強度を向上するための支持脚７が固着されている。
【００２９】
なお、洗濯槽４は、錆防止の為にステンレス鋼で作られており、支持脚７は、強度上および生産性からアルミニウム合金製のダイカストで作られている。
【００３０】
上記の、洗濯槽４、支持脚７、水槽３３、モータ３５等により、振動系の水槽ユニット２０が構成されている。
【００３１】
図２は、本発明の実施の形態におけるドラム式洗濯機の洗濯槽を背面側から見た平面図、図３は、同ドラム式洗濯機の洗濯槽の図２に示すＡ−Ａ断面図、図４は、同ドラム式洗濯機の洗濯槽の図２に示すＢ−Ｂ断面図、図５は、同ドラム式洗濯機の支持脚の斜視図である。
【００３２】
図２、図３、図４、図５において、洗濯槽４の背面部４ｃに固着された支持脚７は、回転軸８と中心部７ｄで接合されており、中心部７ｄから三方向へ回転対称に、同一形状で断面が略Ｍ字状の脚部７ｅ、７ｆ、７ｇが延設されており、脚部７ｅ、７ｆ、７ｇの端部に、それぞれ外周部７ａ、７ｂ、７ｃが形成されている。外周部７ａ、７ｂ、７ｃの外径は、洗濯槽４の外径と略同一に形成している。
【００３３】
支持脚７の断面略Ｍ字状に形成された脚部７ｅ、７ｆ、７ｇは、洗濯槽４の背面部４ｃに対して中央部が凹部状になった中央凹部１８の反長手方向の左右側に凸部１６、１７が長手方向に形成され、左右端にリブ状の側桁１０，１１が、同じく長手方向に形成されている。
【００３４】
また、凸部１６と側桁１０は縦通部１２で、凸部１６と中央凹部１８は縦通部１３で連結され、中央凹部１８と凸部１７は縦通部１４で、凸部１７と側桁１１は縦通部１５で連結されている。
【００３５】
そして、凸部１６、１７は、洗濯槽４の背面部４ｃに近接し、中央凹部１８は、洗濯槽４の背面部４ｃとの間に所定の距離をおいて、離れて位置している。
【００３６】
これにより、支持脚７は、固着された洗濯槽４の背面部４ｃに対して、凸部１６、１７だけが近接するため、洗濯槽４と支持脚７の間に残渣が溜まりにくくなり、ステンレス鋼の洗濯槽４とアルミニウム合金製の支持脚７を採用しても、支持脚７が大きく腐食して破損するのを抑制できる。
【００３７】
さらに、洗濯槽４の回転方向に対し、凸部１６、１７の裏側の角部１６ａ、１７ａ、および、中央凹部１８は澱みを生じにくくなっており、残渣は洗い、すすぎの行程で洗い流されるので、蓄積することはない。
【００３８】
以上のように、本実施の形態においては、アルミニウム合金製で形成され、洗濯槽４の背面部４ｃに固着された支持脚７は、脚部７ｅ、７ｆ、７ｇが反長手方向に断面略Ｍ字状であり、脚部７ｅ、７ｆ、７ｇは、ステンレス鋼材で有底円筒状に形成された洗濯槽４の背面部４ｃに対して中央部が凹部状になった中央凹部１８の左右側に凸部１６、１７が形成され、左右端にリブ状の側桁１０，１１が形成されており、凸部１６，１７は背面部４ｃに近接し、中央凹部１８は背面部４ｃとの間に所定の距離をおいて離れて位置する構成とすることにより、洗濯槽４と支持脚７と間に残渣が溜まることがなく、支持脚７の腐食による破損を防止することができる。
【００３９】
なお、本実施の形態では、ドラム式洗濯機を例にとり説明したが、ドラム式洗濯機に限定するものではなく、縦型洗濯機に用いてもよい。
【産業上の利用可能性】
【００４０】
本発明に係る洗濯機は、洗濯槽と支持脚と間に残渣が溜まることがなく、支持脚の腐食による破損を防止することができるので、脱水による回転を行う他の洗濯機の用途に適用できる。
【符号の説明】
【００４１】
４  洗濯槽
４ｃ  背面部
７  支持脚
７ｅ、７ｆ、７ｇ  脚部
１０，１１  側桁
１６，１７  凸部
１８  中央凹部
３３  水槽
３５  モータ
３９  筺体
【図１】
2018126350.tif 000003
【図２】
2018126350.tif 000004
【図３】
2018126350.tif 000005
【図４】
2018126350.tif 000006
【図５】
2018126350.tif 000007
【図６】
2018126350.tif 000008
【図７】
2018126350.tif 000009